(57)【要約】      （修正有）【課題】封筒とマルタックの多数の組み合わせを容易に見ることができる封筒用マルタックの見本帳を提供する。【解決手段】一枚の透明な台紙１の上に互いに異なる色彩が施された６種類のマルタック２ａ〜２ｆがそれぞれ対になって配列され、それぞれ異なる色彩が施された複数枚の封筒用紙３ａ〜３ｈと共に保持具４により重ねられた状態で且つ互いに相対的に移動自在に保持されている。複数枚の封筒用紙３ａ〜３ｈの中から好みの色彩の封筒用紙を選択し、選択された封筒用紙を台紙１と重ねると共に他の選択されなかった封筒用紙を邪魔にならないように保持具４を中心に回動させて台紙１と選択された封筒用紙から遠ざける。選択された封筒用紙を台紙１と重ねることにより、透明な台紙１を通して選択された封筒用紙の色彩が見えることとなり、６種類のマルタック２ａ〜２ｆの色彩との組み合わせを見ることができる。【選択図】図１
0003120314.tif 000002
【実用新案登録請求の範囲】
【請求項１】
互いに異なるデザインが施された複数のマルタックが取り付けられた一枚の透明な台紙と、
互いに異なるデザインが施された複数枚の封筒用紙と、
前記一枚の透明な台紙と前記複数枚の封筒用紙とを重ねた状態で且つ互いに相対的に移動自在に保持する保持具と
を備えたことを特徴とする封筒用マルタックの見本帳。
【請求項２】
それぞれ対応するデザインが施されたマルタックが取り付けられた複数枚の透明な台紙と、
互いに異なるデザインが施された複数枚の封筒用紙と、
前記複数枚の透明な台紙と前記複数枚の封筒用紙とを重ねた状態で且つ互いに相対的に移動自在に保持する保持具と
を備えたことを特徴とする封筒用マルタックの見本帳。
【請求項３】
前記透明な台紙と前記封筒用紙は、互いに同じ形状及び大きさを有する請求項１または２に記載の封筒用マルタックの見本帳。
【請求項４】
前記透明な台紙と前記封筒用紙は、互いに同じ位置に形成された一つの貫通孔に前記保持具を挿通することにより保持される請求項３に記載の封筒用マルタックの見本帳。
【考案の詳細な説明】
【技術分野】
【０００１】
この考案は、封筒用マルタックの見本帳に係り、特にそれぞれ複数色用意された封筒とマルタックの組み合わせを見る見本帳に関する。
【背景技術】
【０００２】
従来から、図３に示されるように、マルタック付きの封筒が使用されている。封筒の本体部１１に紐なしのマルタック１２が取り付けられると共に、蓋部１３には紐１４付きのマルタック１５が取り付けられ、紐１４を双方のマルタック１２及び１５に巻回することにより蓋部１３が閉じた状態に保持される。
【考案の開示】
【考案が解決しようとする課題】
【０００３】
近年、各種の色彩の封筒が用いられるようになり、これに伴ってマルタックも各種の色彩のものが作られるようになった。そこで、封筒の色彩とマルタックの色彩をそれぞれ選択することにより、多数の組み合わせが存在し、消費者は好みの色彩のマルタック付き封筒を得ることができる。
ところが、封筒とマルタックを別々に見ていたのでは、それらの色彩が組み合わされた状態を直感的に把握するのが困難である。具体的に特定の色彩の封筒の用紙と特定の色彩のマルタックを組み合わせた見本を作れば、消費者が封筒とマルタックの組み合わせの状態を容易に把握することができるが、組み合わせが多数存在することから、すべての組み合わせの見本を作ることは現実的ではない。
【０００４】
この考案はこのような問題点を解消するためになされたもので、封筒とマルタックの多数の組み合わせを容易に見ることができる封筒用マルタックの見本帳を提供することを目的とする。
【課題を解決するための手段】
【０００５】
第１の考案に係る封筒用マルタックの見本帳は、互いに異なるデザインが施された複数のマルタックが取り付けられた一枚の透明な台紙と、互いに異なるデザインが施された複数枚の封筒用紙とを備え、保持具によりこれら一枚の透明な台紙と複数枚の封筒用紙とを重ねた状態で且つ互いに相対的に移動自在に保持するものである。
【０００６】
また、第２の考案に係る封筒用マルタックの見本帳は、それぞれ対応するデザインが施されたマルタックが取り付けられた複数枚の透明な台紙と、互いに異なるデザインが施された複数枚の封筒用紙とを備え、保持具によりこれら複数枚の透明な台紙と複数枚の封筒用紙とを重ねた状態で且つ互いに相対的に移動自在に保持するものである。
【０００７】
なお、「マルタックのデザイン」とは、色彩、模様、形状のいずれか、あるいはこれらの組み合わせを指すこととする。また、「封筒用紙のデザイン」とは、色彩、模様のいずれか、あるいはこれらの組み合わせを指すこととする。
好ましくは、透明な台紙と封筒用紙は、互いに同じ形状及び大きさを有している。
さらに、透明な台紙と封筒用紙は、互いに同じ位置に形成された一つの貫通孔に保持具を挿通することにより保持することができる。
【考案の効果】
【０００８】
以上説明したように、第１の考案に係る封筒用マルタックの見本帳によれば、一枚の透明な台紙に互いに異なるデザインが施された複数のマルタックを取り付け、互いに異なるデザインが施された複数枚の封筒用紙と共に重ねた状態で且つ互いに相対的に移動自在に保持具で保持するので、複数枚の封筒用紙から好みの封筒用紙を選択して透明な台紙と重ねることにより透明な台紙を通して容易に封筒の色彩とマルタックの色彩の組み合わせを見ることができる。
【０００９】
同様に、第２の考案に係る封筒用マルタックの見本帳によれば、複数枚の透明な台紙にそれぞれ対応するデザインが施されたマルタックを取り付け、互いに異なるデザインが施された複数枚の封筒用紙と共に重ねた状態で且つ互いに相対的に移動自在に保持具で保持するので、複数枚の透明な台紙から好みのマルタックが取り付けられた台紙を選択すると共に複数枚の封筒用紙から好みの封筒用紙を選択して互いに重ねることにより透明な台紙を通して容易に封筒の色彩とマルタックの色彩の組み合わせを見ることができる。
【考案を実施するための最良の形態】
【００１０】
以下、この考案の実施の形態を添付図面に基づいて説明する。
実施の形態１．
図１にこの考案の実施の形態１に係る封筒用マルタックの見本帳の構造を示す。矩形状の一枚の透明な台紙１の上に互いに異なる色彩が施された複数のマルタックがそれぞれ２個ずつ配列して取り付けられている。図１の例では、６種類のマルタック２ａ〜２ｆがそれぞれ対になって配列されている。
また、台紙１と同じ大きさの矩形状の複数枚の封筒用紙３ａ〜３ｈにそれぞれ異なる色彩が施されている。
【００１１】
そして、台紙１と複数枚の封筒用紙３ａ〜３ｈのそれぞれ同じ位置、例えば図１に示されるように左上隅部に一つの貫通孔が形成されており、台紙１と封筒用紙３ａ〜３ｈのすべての貫通孔にピン状の保持具４が挿通されている。これにより、台紙１と封筒用紙３ａ〜３ｈが重ねられた状態で且つ互いに相対的に移動自在、例えばそれぞれの紙面に平行に回動自在に保持されている。
【００１２】
使用時には、複数枚の封筒用紙３ａ〜３ｈの中から好みの色彩の封筒用紙を選択し、選択された封筒用紙を台紙１と重ねると共に他の選択されなかった封筒用紙を邪魔にならないように保持具４を中心に回動させて台紙１と選択された封筒用紙から遠ざける。このとき、透明な台紙１の上に６種類のマルタック２ａ〜２ｆが配列されているので、選択された封筒用紙を台紙１と重ねることにより、台紙１を通して選択された封筒用紙の色彩が見えることとなり、６種類のマルタック２ａ〜２ｆの色彩との組み合わせを見ることができる。これにより、極めて容易に好みの色彩の封筒用紙とマルタックの組み合わせを選択することが可能となる。
【００１３】
実施の形態２．
図２にこの考案の実施の形態２に係る封筒用マルタックの見本帳の構造を示す。同じ大きさの矩形状の６枚の透明な台紙１ａ〜１ｆの上にそれぞれ異なる色彩が施されたマルタック２ａ〜２ｆが２個ずつ取り付けられている。
また、これら台紙１ａ〜１ｆと同じ大きさの矩形状の複数枚の封筒用紙５ａ〜５ｈにそれぞれ異なる色彩が施されている。
【００１４】
そして、６枚の台紙１ａ〜１ｆと複数枚の封筒用紙５ａ〜５ｈのそれぞれ同じ位置、例えば図２に示されるように左上隅部に一つの貫通孔が形成されており、台紙１ａ〜１ｆと封筒用紙５ａ〜５ｈのすべての貫通孔にピン状の保持具４が挿通されている。これにより、台紙１ａ〜１ｆと封筒用紙５ａ〜５ｈが重ねられた状態で且つ互いに相対的に移動自在、例えばそれぞれの紙面に平行に回動自在に保持されている。
【００１５】
使用時には、６枚の台紙１ａ〜１ｆの中から好みの色彩のマルタックが取り付けられた台紙を選択すると共に複数枚の封筒用紙５ａ〜５ｈの中から好みの色彩の封筒用紙を選択し、選択された台紙と封筒用紙を互いに重ねると共に他の選択されなかった台紙と封筒用紙を邪魔にならないように保持具４を中心に回動させて選択された台紙及び封筒用紙から遠ざける。このとき、透明な台紙の上にマルタックが取り付けられているので、選択された台紙と封筒用紙を互いに重ねることにより、選択された台紙を通して選択された封筒用紙の色彩が見えることとなり、マルタックの色彩と封筒用紙の色彩の組み合わせを見ることができる。これにより、極めて容易に好みの色彩の封筒用紙とマルタックの組み合わせを選択することが可能となる。
【００１６】
なお、上記の実施の形態１及び２において、台紙１、１ａ〜１ｆの材質としては、透明なシート状の樹脂材が好ましいが、半透明のパラフィン紙等を用いることもできる。可視光に対して透過性を有する材質であれば、その他のものでもよい。
また、保持具４としては、ピン状の保持具の他、リング状の保持具やハト目を用いることもできる。リング状の保持具を用いれば、台紙と封筒用紙をそれぞれの紙面に垂直に移動させつつリング状の保持具に沿って回転させることにより、重ね合わせの最下位位置に移動させることもできる。
【００１７】
上記の実施の形態１及び２では、互いに異なる色彩が施された６種類のマルタック２ａ〜２ｆを用いたが、６種類に限るものではない。また、色彩ではなく、模様や形状の異なるマルタック、さらに色彩、模様、形状の組み合わせが異なるマルタックを透明な台紙の上に取り付けてもよい。
また、互いに異なる色彩が施された複数枚の封筒用紙３ａ〜３ｈ、５ａ〜５ｈを用いたが、封筒用紙の枚数は何ら限定されるものではなく、さらに、色彩ではなく、模様の異なる封筒用紙、さらに色彩及び模様の組み合わせが異なる複数枚の封筒用紙を用いてもよい。
【図面の簡単な説明】
【００１８】
【図１】この考案の実施の形態１に係る封筒用マルタックの見本帳を示す平面図である。
【図２】この考案の実施の形態２に係る封筒用マルタックの見本帳を示す平面図である。
【図３】マルタック付きの封筒を示す斜視図である。
【符号の説明】
【００１９】
１，１ａ〜１ｆ  透明な台紙、２ａ〜２ｆ  マルタック、３ａ〜３ｈ，５ａ〜５ｈ  封筒用紙、４  保持具。
【図１】
0003120314.tif 000003
【図２】
0003120314.tif 000004
【図３】
0003120314.tif 000005